(57)【特許請求の範囲】
【請求項１】
製版されて所定の長さに切断されたマスタを外周に巻装する多孔剛体の版胴と、
該版胴に巻装されマスタを押圧するプレスローラと、
前記版胴の内周からインキを供給するインキ供給手段と、
前記版胴全長にわたって延びるシート部材と、
該シート部材を版胴とプレスローラとの間に挿入する作動位置と、該作動位置から離間した待機位置との間を進退させる駆動手段と、
を有する孔版印刷装置において、
前記シート部材が前記作動位置へ前進し、かつ作動位置から待機位置へ退避するときに、シート部材をガイドするガイド部材を設けたことを特徴とする孔版印刷装置。
【請求項２】
製版されて所定の長さに切断されたマスタを外周に巻装する多孔剛体の版胴と、
該版胴に巻装されマスタを押圧するプレスローラと、
前記版胴の内周からインキを供給するインキ供給手段と、
前記版胴全長にわたって延びるシート部材と、
該シート部材を版胴とプレスローラとの間に挿入する作動位置と、該作動位置から離間した待機位置へ退避させる駆動手段と、
給紙搬送方向にあってプレスローラの上流側に位置して搬送される印刷用紙を案内する用紙搬送ガイド板と、
を有する孔版印刷装置において、
前記シート部材が作動位置へ前進するときに、シート部材をガイドするガイド部材を設けると共に、前記用紙搬送ガイド板の先端部をシート部材に沿って下向きに鋭角で屈曲させて、シート部材が作動位置から待機位置へ退避するときに、シート部材を当接させてガイドするガイド部を形成したことを特徴とする孔版印刷装置。
【請求項３】
製版されて所定の長さに切断されたマスタを外周に巻装する多孔剛体の版胴と、
該版胴に巻装されマスタを押圧するプレスローラと、
前記版胴の内周からインキを供給するインキ供給手段と、
前記版胴全長にわたって延びるシート部材と、
該シート部材を版胴とプレスローラとの間に挿入する作動位置と、該作動位置から離間した待機位置へ進退させる駆動手段と、
給紙搬送方向にあってプレスローラの上流側に位置して搬送される印刷用紙を案内する用紙搬送ガイド板と、
を有する孔版印刷装置において、
前記シート部材が前記作動位置へ前進するときに、前記シート部材をガイドするガイドを設けると共に、前記プレスローラの手前側で、かつ前記用紙搬送ガイド板の下方に、プレスローラ側へ斜め上向きに配置され、シート部材が作動位置から待機位置に退避するときに、シート部材を当接させてガイドする第２のガイド部材を設けたことを特徴とする孔版印刷装置。
【請求項４】
シート部材が可撓性を有する部材からなることを特徴とする請求項１ないし３のいずれかに記載の孔版印刷装置。
【発明の詳細な説明】
【０００１】
【発明の属する技術分野】
この発明は、孔版印刷装置に関する。
【０００２】
【従来の技術】
従来のこの種の孔版印刷装置として、連続印刷後長時間放置して印刷を再開する際、版付け時から良好な印刷物がえられて、やれ紙が発生するのを低減することができるものとして、特開平4-129787号公報に開示されたようなものがある。それは図１〜４に示されたこの発明の実施形態と同様に構成されているので、これを参照して説明する。これは製版されて所定の長さに切断されたマスタ１を外周に巻装する多孔剛体の版胴２と、印刷用紙15を版胴２に巻装したマスタ１に押圧するプレスローラ６と、版胴２の内周からインキを供給するインキ供給手段４とを有し、版胴２に巻装されたマスタ１の先端は版胴２の外周に設けられたクランパ３によって挾持され、版胴２の回転方向下流側に隣接して弾性部材５が設けられていて、この弾性部材５はプレスローラ６が版胴２から離間しているときプレスローラ６と接触してプレスローラ６を回転させて印刷用紙15のレジストを良好に保つものである。
【０００３】
アーム11を軸支する、図示しない装置の機枠に設けられた支軸11ａに、プレスローラ６を軸支したプレスローラ駆動アーム50が固着されており、このプレスローラ駆動アーム50に支持アーム13が取付けられており、また、アーム11の動きを支持アーム13に伝達するステー51がアーム11に取付けられていて、このステー51には、版胴２とプレスローラ６とのニップ部に搬送される印刷用紙15を案内する用紙搬送ガイド板52が取付けられている。
【０００４】
版胴全長にわたって延び、可撓性を有するシート部材19を、版胴２とプレスローラ６との間の作動位置に挿入する駆動手段は、第１ソレノイド22と、第１ソレノイド22の作動杆23と、リンク24と、作動杆23に設けたスプリング25とからなり、また、支持アーム13の突出部14の下端に、中間部をプレスローラ６に沿って、図３に示すように屈曲させたシート部材19を保持する板部材20が軸支されており、板部材20の枢軸21は支持アーム13に固定された第１ソレノイド22によって作動杆23、リンク24を介して回動されるようになっている。また、アーム11の下端を係止し、プレスローラ６を版胴２から離間した位置に保持するストッパ10を用紙検知フイーラ９によらないで解除する解除部材27を変位させる第２ソレノイド26が設けられており、版胴２の回転と、第１ソレノイド22と、第２ソレノイド26との駆動を制御する図示しない制御手段が設けられている。
【０００５】
このようなものにあって、製版されたマスタ１が版胴２の外周に巻装されて回動され、インキ供給手段４によって供給されたインキがマスタ１の透孔からしみ出て、プレスローラ６によってマスタ１に押圧される印刷用紙15に印刷する。このようにして印刷が終了して、ある時間放置後に着版指令が出ると、版胴２が回動するとともに、図示しないインキ検知部材によってインキ量を検知した後、第１ソレノイド22がオンされて、シート部材19が版胴２とプレスローラ６との間に挿入される、図２に示す作動位置に変位し、ついで第２ソレノイド26がオンされてアーム11のカムフォロワ16がカム８の突出部に係合しているときストッパ10が解除され、カムフォロワ16がカム８の基準円部に対向する位置にくると、アーム11はスプリング12に引かれて支持アーム13とともに回動し、プレスローラ６はシート部材19をマスタ１に押圧する。
【０００６】
シート部材19及びマスタ１を介してプレスローラ６に押圧された版胴２は、放置時間に応じて版胴２の開口にインキが充分充填されるように設定されている所定の回転数だけ回転するように制御手段によって制御されており、その所定回転数だけ回転が終了すると、第２ソレノイド26がオフしてストッパ10が自由となり、アーム11のカムフォロワ16がカム８の突出部に係合したときアーム11が反時計方向に回動して下端がストッパ10に係止されて、プレスローラ６は離間した位置に保持され、第１ソレノイド22がオフされてシート部材19が版胴２とプレスローラ６との接触圧から開放されて、両者の間から退避して待機位置に保持される。
【０００７】
その後図示しない排版装置でマスタ１が排版され、新マスタが版胴２に着版される。その後印刷用紙15が用紙搬送ガイド板52の上を通過して搬送されて版胴２と押圧するプレスローラ６とのニップ部に給紙され、また、フイーラ９の上を通過する際にストッパ10がはずれてプレスローラ６が上昇し、印刷用紙15がマスタ１に押圧されて版付けが行なわれ、印刷可能となる。このとき、マスタ１の排版前に版胴２が所定回転数だけ回転している間に版胴２の開口部、版胴２の外表面がインキで充填されており、新マスタの着版時に新しいインキが版胴２の開口部、版胴２の外表面まで達しているので、着版当初から良好な印刷画像が得られる。
【０００８】
【発明が解決しようとする課題】
ところでこのようなものにあっては、アームの支軸にプレスローラ駆動アームが固定されており、又、プレスローラ駆動アームに支持アームが取付けられており、アームの動きを支持アームに伝達するステーがアームに取付けられているうえ、ステーには印刷用紙の用紙搬送ガイド板が設けられていて、シート部材が変位する際の通路のスペースが狭くなっている。そしてシート部材は、ポリエチレン、ポリエステル、フッ素樹脂、またはゴムなどの可撓性を有する薄いシートを用いているので、寸法精度をよく加工することは困難であり、また、前記のような材料を用いたシート部材は、待機位置にあるときは時間の経過とともに変形、特に中間の屈曲部が経時的に復元しようとしてプレスローラと反対側に変形しやすい。このようなシート部材を着版時に、印刷用紙搬送経路から退避した待機位置から作動位置に変位させたとき、用紙搬送ガイド板に衝突し、また作動位置にあるときには、プレスローラと版胴との接触圧によってプレスローラの外周に沿うような形状に変形していて、作動位置から待機位置に退避する際、プレスローラに接触して正常な変位ができなくなる。またプレスローラ側に変形したシート部材は、続く通常の印刷時において、プレスローラは版胴の弾性部材によって版胴と逆方向に回転させられており、プレスローラに接触してプレスローラの摩擦力によってその回転に引きずられて作動位置に変位してしまい、この変位したシート部材によって、搬送される印刷用紙が正常に搬送されなくてジャムが発生するという問題がある。
【０００９】
そこでこの発明の目的は、前記のような従来の孔版印刷装置のもつ問題を解消し、着版時、シート部材が用紙搬送ガイド板やプレスローラに衝突することがなくて、シート部材を作動位置または待機位置に、確実に変位または退避させることができて、通常印刷時、印刷用紙のジャムが発生しない孔版印刷装置を提供するにある。
【００１０】
【課題を解決するための手段】
この発明は、前記のような目的を達成するために、請求項１に記載の発明は、製版されて所定の長さに切断されたマスタを外周に巻装する多孔剛体の版胴と、該版胴に巻装されマスタを押圧するプレスローラと、前記版胴の内周からインキを供給するインキ供給手段と、前記版胴全長にわたって延びるシート部材と、該シート部材を版胴とプレスローラとの間に挿入する作動位置と、該作動位置から離間した待機位置との間を進退させる駆動手段と、を有する孔版印刷装置において、前記シート部材が前記作動位置へ前進し、かつ作動位置から待機位置へ退避するときに、シート部材をガイドするガイド部材を設けたことを特徴とするものである。請求項２に記載の発明は、製版されて所定の長さに切断されたマスタを外周に巻装する多孔剛体の版胴と、該版胴に巻装されマスタを押圧するプレスローラと、前記版胴の内周からインキを供給するインキ供給手段と、前記版胴全長にわたって延びるシート部材と、該シート部材を版胴とプレスローラとの間に挿入する作動位置と、該作動位置から離間した待機位置へ退避させる駆動手段と、給紙搬送方向にあってプレスローラの上流側に位置して搬送される印刷用紙を案内する用紙搬送ガイド板と、を有する孔版印刷装置において、前記シート部材が作動位置へ前進するときに、シート部材をガイドするガイド部材を設けると共に、前記用紙搬送ガイド板の先端部をシート部材に沿って下向きに鋭角で屈曲させて、シート部材が作動位置から待機位置へ退避するときに、シート部材を当接させてガイドするガイド部を形成したことを特徴とするものである。請求項３に記載の発明は、製版されて所定の長さに切断されたマスタを外周に巻装する多孔剛体の版胴と、該版胴に巻装されマスタを押圧するプレスローラと、前記版胴の内周からインキを供給するインキ供給手段と、前記版胴全長にわたって延びるシート部材と、該シート部材を版胴とプレスローラとの間に挿入する作動位置と、該作動位置から離間した待機位置へ進退させる駆動手段と、給紙搬送方向にあってプレスローラの上流側に位置して搬送される印刷用紙を案内する用紙搬送ガイド板と、を有する孔版印刷装置において、前記シート部材が前記作動位置へ前進するときに、前記シート部材をガイドするガイドを設けると共に、前記プレスローラの手前側で、かつ前記用紙搬送ガイド板の下方に、プレスローラ側へ斜め上向きに配置され、シート部材が作動位置から待機位置に退避するときに、シート部材を当接させてガイドする第２のガイド部材を設けたことを特徴とするものである。請求項４に記載の発明は、請求項１ないし３のいずれかに記載の発明において、シート部材が可撓性を有する部材からなることを特徴とするものである。
【００１１】
【発明の実施の形態】
図１〜４に示すこの発明の実施形態は、多くの部分が前記従来のものと同様であるので、同様の部分については同一の符号を引用して説明を省略して主として異なる部分について説明する。この発明の第１実施形態を示す図１〜３において、２は版胴、６はその下方に配置されてアーム11と係合する支持アーム13によって版胴２と接離するプレスローラ、19は版胴２とプレスローラ６との間に挿入された作動位置と、版胴２とプレスローラ６との間から離間した待機位置との間を移動可能となっているシート部材19であって、このシート部材19は、一側上部が枢軸21によって図示しない装置の機枠に枢支されたレバー24の枢軸21と反対側に取付けられ、レバー24の下部にはピン28が取付けられていて、このピン28は前記機枠に装着した第１ソレノイド22の作動杆23の一端部を枢支しており、このようなものにガイド部材53と、ガイド部54とを設けたものである。
【００１２】
シート部材19は、ポリエチレン、ポリエステル、フッ素樹脂、ゴム等の可撓性を有するシートを用いて中間部をプレスローラ６の外周に沿うように屈曲させて成形加工して板部材20に接着したものである。
【００１３】
ガイド部材53は、プレスローラ６の外周に沿って0.5〜２mmの間隙を有してシート部材19が通過する部位を被覆する板状の弯曲部分53ａと、この弯曲部分を保持する保持部材53ｂとからなり、この保持部材53ｂの弯曲部分53ａを保持しない他側を、支持アーム13に設けられた図示しない支軸とプレスローラ６の軸６ａとに軸支する。
【００１４】
ガイド部54は、用紙搬送ガイド板52の先端部をシート部材19の背面に沿ってシート部材19と所定の間隔を有して屈曲させたものである。
【００１５】
このようなものにあって、ある時間印刷を休止した後、再び印刷を開始する際、版胴２を設定された回転数だけ回転させる着版時において、シート部材19が経時的にガイド部54側に変形しても、版胴２の１回転毎にシート部材19が作動位置に変位する際、シート部材19の先端がガイド部54に案内されて用紙搬送ガイド板52に衝突することなく円滑、かつ確実にシート部材19を作動位置に変位することができ、また、シート部材19が作動位置にあって、プレスローラ６側に変形していて、その状態から待機位置に変位する際、ガイド部材53に案内されてプレスローラ６に接触することなく確実に退避させることができて、通常印刷時に印刷用紙のジャムが発生しない。
【００１６】
また、シート部材19が待機位置にあって、通常の印刷が行われる際、シート部材19が経時的復元によってガイド部材53側に変形していても、プレスローラ６に接触せず、プレスローラ６の回転に引きずられて作動位置に飛び出すことがなくて、印刷用紙のジャムが発生しない。
【００１７】
なお、第１実施形態において、ガイド部材53と、ガイド部54とを組付けてあるが、ガイド部材53、またはガイド部54を単独に設けたものであってもよい。
【００１８】
図４に示す第２実施形態は、第１実施形態のガイド部54を除去し、先端部が中間からシート部材19の方向に屈折した板状部材からなる第２ガイド部材54′を、シート部材19の背面と、ガイド部54の部分を除去した残部の用紙搬送ガイド板52の先端部との間に位置してステー51に固着し、この第２ガイド部材54′の先端部54ａ′が用紙搬送ガイド板52の上面から突出しないように設けたものである以外第１実施形態と異なるところがない。
【００１９】
なお、第２実施形態において、ガイド部材53と、第２ガイド部材54′とを組付けてあるが、ガイド部材53、または第２ガイド部材54′を単独に設けたものであってもよい。
【００２０】
【発明の効果】
この発明は、前記のようであって、請求項１に記載の発明は、製版されて所定の長さに切断されたマスタを外周に巻装する多孔剛体の版胴と、該版胴に巻装されマスタを押圧するプレスローラと、前記版胴の内周からインキを供給するインキ供給手段と、前記版胴全長にわたって延びるシート部材と、該シート部材を版胴とプレスローラとの間に挿入する作動位置と、該作動位置から離間した待機位置との間を進退させる駆動手段と、を有する孔版印刷装置において、前記シート部材が前記作動位置へ前進し、かつ作動位置から待機位置へ退避するときに、シート部材をガイドするガイド部材を設けたことを特徴とするので、シート部材がプレスローラ側に変形しても確実にシート部材を作動位置に変位させることができ、また、待機時にシート部材が作動位置に変位して発生する印刷用紙のジャム発生を防止することができるという効果がある。請求項２に記載の発明は、製版されて所定の長さに切断されたマスタを外周に巻装する多孔剛体の版胴と、該版胴に巻装されマスタを押圧するプレスローラと、前記版胴の内周からインキを供給するインキ供給手段と、前記版胴全長にわたって延びるシート部材と、該シート部材を版胴とプレスローラとの間に挿入する作動位置と、該作動位置から離間した待機位置へ退避させる駆動手段と、給紙搬送方向にあってプレスローラの上流側に位置して搬送される印刷用紙を案内する用紙搬送ガイド板と、を有する孔版印刷装置において、前記シート部材が作動位置へ前進するときに、シート部材をガイドするガイド部材を設けると共に、前記用紙搬送ガイド板の先端部をシート部材に沿って下向きに鋭角で屈曲させて、シート部材が作動位置から待機位置へ退避するときに、シート部材を当接させてガイドするガイド部を形成したことを特徴とするものであり、請求項３に記載の発明は、製版されて所定の長さに切断されたマスタを外周に巻装する多孔剛体の版胴と、該版胴に巻装されマスタを押圧するプレスローラと、前記版胴の内周からインキを供給するインキ供給手段と、前記版胴全長にわたって延びるシート部材と、該シート部材を版胴とプレスローラとの間に挿入する作動位置と、該作動位置から離間した待機位置へ進退させる駆動手段と、給紙搬送方向にあってプレスローラの上流側に位置して搬送される印刷用紙を案内する用紙搬送ガイド板と、を有する孔版印刷装置において、前記シート部材が前記作動位置へ前進するときに、前記シート部材をガイドするガイドを設けると共に、前記プレスローラの手前側で、かつ前記用紙搬送ガイド板の下方に、プレスローラ側へ斜め上向きに配置され、シート部材が作動位置から待機位置に退避するときに、シート部材を当接させてガイドする第２のガイド部材を設けたことを特徴とするので、シート部材が経時的に用紙搬送ガイド板側に変形しても用紙搬送ガイド板に接触することなくて確実にシート部材を作動位置に変位でき、または待機位置に退避させることができて、印刷用紙のジャム発生を防止することが出来るという効果がある。請求項４に記載の発明は、シート部材が可撓性を有する部材からなることを特徴とするので、シート部材を安価に製造することができるという効果がある。
【図面の簡単な説明】
【図１】この発明の第１実施形態の概略縦断面図である。
【図２】同上のシート部材が作動位置に変位した状態を示す概略縦断図である。
【図３】同上のシート部材の斜視図である。
【図４】同上の第２実施形態の概略縦断面図である。
【符号の説明】
１  マスタ
２  版胴
４  インキ供給手段
６  プレスローラ
11  アーム
13  支持アーム
15  印刷用紙
19  シート部材
52  用紙搬送ガイド板
53  ガイド部材
54  ガイド部
54′  第２ガイド部材
【図１】
0003801239.tif 000002
【図２】
0003801239.tif 000003
【図３】
0003801239.tif 000004
【図４】
0003801239.tif 000005